(57)【要約】【課題】簡単に設置できる噴石シェルターを提供する。【解決手段】噴石シェルター１は、複数の曲面板状のセグメント２を、それらの湾曲方向に隣接して並べてアーチ型に設置し、隣接するセグメント２同士をボルトで接合させて構成されている。噴石シェルター１の内部の空間に登山者が避難することにより、火山で噴火が起こった時に、各セグメント２が登山者を噴石から防護することができる。【選択図】図１
2016094754.tif 000002
【特許請求の範囲】
【請求項１】
複数の曲面板状の鋳物製のセグメントを、それらの湾曲方向に隣接して並べてアーチ型に設置し、隣接するセグメント同士を接合させて構成した噴石シェルター。
【発明の詳細な説明】
【技術分野】
【０００１】
この発明は、火山に設置されて噴火時に噴石から登山者を防護する噴石シェルターに関する。
【背景技術】
【０００２】
平成２６年９月２７日の御嶽山の噴火は、多数の死傷者を出す戦後最悪の火山災害となった。多くの死因は、飛んできた噴石の直撃による損傷死であった。もし御嶽山に、噴石から身を守ることのできる噴石シェルターが存在していれば、多くの登山者が助かった可能性がある。しかしながら、ある調べによれば、飛んでくる噴石から登山者の身を守る噴石シェルターを設置している国内の活火山は、気象庁の常時監視対象４７火山のうち、草津白根山（群馬・長野）、浅間山（群馬・長野）、阿蘇山（熊本）など１０火山にとどまっている。特に昨今、我が国最大の火山である富士山の噴火の可能性が議論されており、もし登山シーズン中に富士山が噴火することがあれば、その被害は御嶽山とは比べものにならないくらい大きなものになることが予想される。実際に、富士山には噴石から身を守ることのできる噴石シェルターは設置されていない。
【０００３】
火山に設けられて噴石から登山者の身を守るものではないが、雪崩やがけ崩れ等から道路や鉄道を防護するためのシェルターが特許文献１に記載されている。このシェルターはアーチ型の形状を有している。このシェルターは、シェルターを構築するための曲面板状のセグメントをクローラークレーンで吊り込み、支持台車がこのセグメントを下から支持するとともに支持台車からセグメントの内側部の作業を行い、セグメントの外側部の作業を作業台車から行い、クローラークレーンと、支持台車と、作業台車とを移動させながらセグメントを吊り込むとともにセグメントどうしを接合することで構築することができる。現在火山に設けられている噴石シェルターにもアーチ型のものが存在する。
【先行技術文献】
【特許文献】
【０００４】
【特許文献１】特開平６−１２８９１３号公報
【発明の概要】
【発明が解決しようとする課題】
【０００５】
しかしながら、特許文献１に記載のシェルターを火山に設置しようとすると、曲面板状のセグメントを火山の設置場所まで搬送するだけではなく、クローラークレーンと、支持台車と、作業台車とを同場所まで移動しなければならず、設置準備が大掛かりになるといった問題点があった。また、火山の設置場所は通常、斜面が多く足場も悪いため、現場作業が煩雑になるといった問題点もあった。
【０００６】
この発明はこのような問題点を解決するためになされたもので、簡単に設置できる噴石シェルターを提供することを目的とする。
【課題を解決するための手段】
【０００７】
この発明に係る噴石シェルターは、複数の曲面板状の鋳物製のセグメントを、それらの湾曲方向に隣接して並べてアーチ型に設置し、隣接するセグメント同士を接合させて構成したものである。
【発明の効果】
【０００８】
この発明によれば、複数の曲面板状の鋳物製のセグメントを、それらの湾曲方向に隣接して並べてアーチ型に設置し、隣接するセグメント同士を接合させて構成されていることにより、曲面板状のセグメントを設置場所まで搬送すればよく、それらを組み立てる際にも特別な装置が必要ないので、噴石シェルターを簡単に設置することができる。
【図面の簡単な説明】
【０００９】
【図１】この発明の実施の形態に係る噴石シェルターの正面図である。
【図２】この実施の形態に係る噴石シェルターを構成するセグメントの底面図である。
【図３】この実施の形態に係る噴石シェルターを構成するセグメントの側面図である。
【発明を実施するための形態】
【００１０】
以下、この発明の実施の形態を添付図面に基づいて説明する。
図１に示されるように、噴石シェルター１は、複数の曲面板状のセグメント２を、それらの湾曲方向に隣接して並べてアーチ型に設置し、隣接するセグメント２同士を、図示しないボルトで接合させて構成されている。複数のセグメント２のうち、アーチ型の両端に位置するセグメントはそれぞれ、公知の技術で地面８に固定された土台９に、図示しないボルトで接合されている。噴石シェルター１の内部の空間に登山者が避難することにより、火山で噴火が起こった時に、各セグメント２が登山者を噴石から防護することができる。
【００１１】
図２に示されるように、各セグメント２は、矩形の形状を有しており、その長手方向に延びる図示しない軸に関して湾曲した曲面板状の形状を有している。各セグメント２は、その周縁部に沿って設けられた周縁リブ部３を有している。周縁リブ部３は、互いに平行な一対の第１周縁リブ部３ａ，３ａと、第１周縁リブ部３ａと垂直な方向に延び第１周縁リブ部３ａよりも短い、互いに平行な一対の第２周縁リブ部３ｂ，３ｂとから構成されている。また、各セグメント２は、第１周縁リブ部３ａが延びる方向に関して中央の位置に、一端が一方の第１周縁リブ部３ａに接続されるとともに他端が他方の第１周縁リブ部３ａに接続されるように設けられた中央リブ部４を有している。
【００１２】
図３に示されるように、各第１周縁リブ部３ａには、４つのボルト孔５が形成されている。複数のセグメント２をそれらの湾曲方向に隣接して並べてアーチ型に設置すると、隣り合うセグメント２の第１周縁リブ部３ａ同士が接する状態となるが、互いに接する第１周縁リブ部３ａのそれぞれに形成された４つのボルト孔５はそれぞれ重なり合う。重なり合ったボルト孔５に、図示しないボルトを挿入してナットで締め付けることにより、隣り合うセグメント２同士が互いに接合される。
【００１３】
また、図１に示されるように、各第２周縁リブ部３ｂにも、２つのボルト孔６が形成されている。第２周縁リブ部３ｂ同士が接するように２つのセグメントを隣接させると、第２周縁リブ部３ｂのそれぞれに形成された２つのボルト孔６はそれぞれ重なり合う。重なり合ったボルト孔６に、図示しないボルトを挿入してナットで締め付けることにより、隣り合うセグメント２同士が互いに接合される。これにより、噴石シェルター１の軸方向の長さを調節することができる。
【００１４】
セグメント２は、飛んできた噴石が衝突しても破壊しない材質で形成する必要がある。そのような材質としては、鉄、コンクリート、鋳物等が挙げられが、形状生産性及び量産効果の良い鋳物が好ましい。
【００１５】
噴石シェルター１を火山の噴火口近辺に設置する際には、まず必要な枚数のセグメント２及び土台９を火山の麓に搬送しておき、ヘリコプターでセグメント２及び土台９を設置場所に搬送する。設置場所での噴石シェルター１の組み立ては、特別な装置を使わずに作業員が手作業で行えるので、必要な資材の搬送及び噴石シェルター１の組み立てを簡単に行うことができる。
【００１６】
このように、複数の曲面板状のセグメント２を、それらの湾曲方向に隣接して並べてアーチ型に設置し、隣接するセグメント２同士を接合させて構成されていることにより、曲面板状のセグメント２を設置場所まで搬送すればよく、それらを組み立てる際にも特別な装置が必要ないので、噴石シェルターを簡単に設置することができる。
【００１７】
尚、噴石シェルター１の内部の空間の半径は、セグメント２が湾曲する曲率半径を調節することにより、任意に変更することができる。
【００１８】
この実施の形態では、第１周縁リブ部３ａに４つのボルト孔５が設けられるとともに第２周縁リブ部３ｂに２つのボルト孔６が設けられていたが、それぞれのボルト孔の個数は任意に変更可能である。尚、ボルト孔６はなくてもよい。
【符号の説明】
【００１９】
１  噴石シェルター、２  セグメント。
【図１】
2016094754.tif 000003
【図２】
2016094754.tif 000004
【図３】
2016094754.tif 000005